(57)【要約】      （修正有）【課題】紙ワーピング探知装置及びその探知方法を提供する。【解決手段】紙ワーピング探知装置はペーパートレー１１、プロセッサー、第一発射パーツ１３、第一受け取りパーツ１４、第一モジュラスコンバーターを有する。第一発射パーツ１３はペーパートレー１１の片側に設置され、超音波信号を発射する。第一受け取りパーツ１４はペーパートレー１１の反対側に設置され、第一発射パーツ１３が発した超音波信号を受け取り、デジタル信号に転換後、出力する。プロセッサーは第一モジュラスコンバーターが出力したデジタル信号を読み取り、第一臨界値と比較する。本発明による紙ワーピング探知装置は、紙３０の進紙時にワーピングが発生していないかどうかを効果的に探知でき、こうして進紙時の紙に発生する破損を防止可能である。【選択図】図３
2019077507.tif 000002
【特許請求の範囲】
【請求項１】
紙ワーピング探知装置は、ペーパートレー、プロセッサー、第一発射パーツ、第一受け取りパーツ、第一モジュラスコンバーターを有し、
前記ペーパートレーには、フィーディングを待つ紙を入れ、
前記プロセッサーは、内部に第一臨界値を保存し、
前記第一発射パーツは、前記ペーパートレーの片側に設置され、前記プロセッサーと電気的に連接し、前記プロセッサーは、第一発射パーツのスイッチをコントロールし、第一発射パーツがオンの時、超音波信号を発射し、
前記第一受け取りパーツは、ペーパートレーの反対側に設置され、第一発射パーツが発した超音波信号を受け取り、
前記第一モジュラスコンバーターは、第一受け取りパーツと電気的に連接し、第一受け取りパーツが受け取った超音波信号を、デジタル信号に転換後、出力し、前記モジュラスコンバーターはさらにプロセッサーと電気的に連接し、前記プロセッサーは、前記第一モジュラスコンバーターが出力したデジタル信号を読み取り、第一臨界値と比較することを特徴とする紙ワーピング探知装置。
【請求項２】
前記紙ワーピング探知装置は第二発射パーツ、第二受け取りパーツ、第二モジュラスコンバーターをさらに有し、
前記第二発射パーツは、ペーパートレーの前上方に設置され、プロセッサーと電気的に連接し、前記プロセッサーは、第二発射パーツのスイッチをコントロールし、第二発射パーツがオンの時、前下方へと超音波信号を、紙上表面に発射し、
前記第二受け取りパーツは、ペーパートレーの前上方に設置され、第二発射パーツが発射し、紙が反射した超音波信号を受け取り、前記第二モジュラスコンバーターと第二受け取りパーツは、プロセッサーとそれぞれ電気的に連接し、第二受け取りパーツが受け取った超音波信号をデジタル信号に転換後、プロセッサーに出力し、前記プロセッサー内部に第二臨界値をさらに有し、前記プロセッサーは、第二モジュラスコンバーターが出力したデジタル信号を読み取り、第二臨界値と比較することを特徴とする請求項１に記載の紙ワーピング探知装置。
【請求項３】
前記紙ワーピング探知装置は反射壁をさらに有し、それは第一発射パーツの外側に設置され、
前記反射壁は、第一受け取りパーツの側面に相対し、陥没した弧状を呈し、
前記第一発射パーツは、前記反射壁に向かって超音波信号を発射し、前記第一受け取りパーツは、反射壁が反射後の超音波信号を受け取ることを特徴とする請求項１に記載の紙ワーピング探知装置。
【請求項４】
前記紙ワーピング探知装置は、紙ピックアップローラーをさらに有し、上下移動可能なように、ペーパートレーの上方に位置し、しかも紙の前端に設置され、
前記第一発射パーツと第一受け取りパーツは、前記紙の前端に位置し、しかも紙ピックアップローラーの、紙フィーディング方向と反対側に位置することを特徴とする請求項１に記載の紙ワーピング探知装置及びその探知方法。
【請求項５】
紙ワーピングの探知方法は、以下のステップを含み、
Ｓ１：第一発射パーツを使用し、超音波信号を水平に通過する紙前端の上表面に発射し、
Ｓ２：第一受け取りパーツを使用し、第二発射パーツが発した超音波信号を受け取り、前記超音波信号を出力し、
Ｓ３：第一モジュラスコンバーターを使用し、第一受け取りパーツが受け取った超音波信号を、デジタル信号に転換して出力し、
Ｓ４：プロセッサーを使用し、第一臨界値を保存し、前記プロセッサーは、第一モジュラスコンバーターが出力したデジタル信号を読み取り、第一臨界値と比較し、第一モジュラスコンバーターが出力したデジタル信号が第一臨界値より小さい時には、紙のフィーディング時にワーピングが発生していると判断し、進紙を停止し、反対なら、紙がフィーディング時に正常に進紙していると判断することを特徴とする紙ワーピングの探知方法。
【請求項６】
前記紙ワーピングの探知方法は、以下のステップをさらに含み、
Ｓ２１：第二発射パーツを使用し、前下方へと、超音波信号を紙上表面に発射し、
Ｓ２２：第二受け取りパーツを使用し、第二発射パーツが発し、紙が反射した超音波信号を受け取り、前記超音波信号を出力し、
Ｓ２３：第二モジュラスコンバーターを使用し、第二受け取りパーツが受け取った超音波信号をデジタル信号に転換し出力し、
Ｓ２４：前記プロセッサーを使用し、第二臨界値をさらに保存し、プロセッサーは、第二モジュラスコンバーターが出力したデジタル信号を読み取り、第二臨界値と比較し、第二モジュラスコンバーターが出力したデジタル信号が第二臨界値より大きい時には、紙のフィーディング時にワーピングが発生していると判断し、進紙を停止し、反対なら、紙がフィーディング時に正常に進紙していると判断することを特徴とする請求項５に記載の紙ワーピングの探知方法。
【発明の詳細な説明】
【技術分野】
【０００１】
本発明は紙ワーピング探知装置及びその探知方法に関し、特に進紙時にワーピングが発生していないかどうかを効果的に探知できる紙ワーピング探知装置及びその探知方法に関する。
【背景技術】
【０００２】
プリンター、スキャナー等の従来の事務装置では、印刷或いはスキャンの過程において、紙ピックアップローラーが紙をピックアップする際、紙の破損を防止する装置を特に設置していないため、紙の前端に湾曲変形（フィーディングされた紙の前端が、その下に位置するフィーディングを待つ紙の前端とホチキスでひとまとめにされており、紙ピックアップローラーが紙をピックアップし、最上面の紙を内側へとフィーディングすると、最上面の紙の前端には湾曲変形が発生する）が発生しても、進紙ローラーは依然として継続して紙を連動し内側へとフィーディングする。
こうして、フィーディングされた紙には破損が発生する。
【０００３】
また、フィーディングされた紙の後端が、その下面に位置するフィーディングを待つ紙の後端と、ホチキスでひとまとめにされていれば、紙ピックアップローラーが紙をピックアップし、最上面の紙を内側へとフィーディングすると、最上面の紙の後端は、ホチキスでひとまとめにされている紙の後端を連動しいっしょに丸まってしまう。
もし、継続して内側へとフィーディングすれば、紙には同様に破損が発生する。
【０００４】
よって、事務装置上に応用され、進紙時にワーピングが発生していないかどうかを効果的に探知でき、進紙時の紙に発生する破損を防止可能な紙ワーピング探知装置及びその探知方法の開発が待たれている。
【発明の概要】
【発明が解決しようとする課題】
【０００５】
本発明の目的は、進紙時にワーピングが発生していないかどうかを効果的に探知できる紙ワーピング探知装置及びその探知方法で、こうして進紙時の紙に発生する破損を防止可能な紙ワーピング探知装置及びその探知方法を提供することにある。
【課題を解決するための手段】
【０００６】
本発明による紙ワーピング探知装置はペーパートレー、プロセッサー、第一発射パーツ、第一受け取りパーツ、第一モジュラスコンバーターを有する。
該ペーパートレーには、フィーディングを待つ紙を入れる。
該プロセッサーは、内部に第一臨界値を保存する。
該第一発射パーツは、ペーパートレーの片側に設置され、プロセッサーと電気的に連接する。
該プロセッサーは、第一発射パーツのスイッチをコントロールし、第一発射パーツがオンの時、超音波信号を発射する。
該第一受け取りパーツは、ペーパートレーの反対側に設置され、第一発射パーツが発した超音波信号を受け取る。
該第一モジュラスコンバーターと第一受け取りパーツは、電気的に連接し、第一受け取りパーツが受け取った超音波信号を、デジタル信号に転換後、出力する。
該モジュラスコンバーターはさらに、プロセッサーと電気的に連接する。
該プロセッサーは、第一モジュラスコンバーターが出力したデジタル信号を読み取り、第一臨界値と比較する。
【０００７】
本発明による紙ワーピング装置の探知方法は、以下のステップを含む。
Ｓ１：第一発射パーツを使用し、超音波信号を水平に通過する紙前端の上表面に発射する。
Ｓ２：第一受け取りパーツを使用し、第一発射パーツが発した超音波信号を受け取り、該超音波信号を出力する。
Ｓ３：第一モジュラスコンバーターを使用し、第一受け取りパーツが受け取った超音波信号を、デジタル信号に転換して出力する。
Ｓ４：プロセッサーを使用し、第一臨界値を保存する。プロセッサーは、第一モジュラスコンバーターが出力したデジタル信号を読み取り、第一臨界値と比較する。第一モジュラスコンバーターが出力したデジタル信号が第一臨界値より小さい時には、紙のフィーディング時にワーピングが発生していると判断し、進紙を停止し、反対なら、紙がフィーディング時に正常に進紙していると判断する。
【発明の効果】
【０００８】
本発明による紙ワーピング探知装置及びその探知方法は、紙の進紙時にワーピングが発生していないかどうかを効果的に探知でき、これにより進紙時の紙に発生する破損を防止可能である。
【図面の簡単な説明】
【０００９】
【図１】本発明による紙ワーピング探知装置の実施形態の俯視図である。
【図２】図１に示す紙ワーピング探知装置の右視図である。
【図３】図２に示す紙ワーピング探知装置の紙ピックアップローラーが紙をピックアップし、最上面の紙を連動して前方へとフィーディングする時、最上面の紙が、ホチキスでひとまとめにされている紙の後端を連動しいっしょに丸まってしまい、異常な進紙状態となる様子を示す模式図である。
【図４】図２に示す紙ワーピング探知装置の紙ピックアップローラーが紙をピックアップした後、紙の前端に湾曲変形が発生し異常な進紙状態となる様子を示す模式図である。
【図５】本発明による紙ワーピング探知装置の構造模式図である。
【発明を実施するための形態】
【００１０】
以下に本発明の技術内容、構造特徴、達成する目的及び作用効果について、例を挙げ並びに図面を組み合わせて詳細に説明する。
【００１１】
（一実施形態）
図１、図２、図５に示す通り、本発明による紙ワーピング探知装置は、事務装置１００（プリンター、スキャナー等）上に取り付け、ペーパートレー１１、プロセッサー１２、第一発射パーツ１３、第一受け取りパーツ１４、第一モジュラスコンバーター１５、第二発射パーツ１６、第二受け取りパーツ１７、第二モジュラスコンバーター１８、反射壁１９、紙ピックアップローラー２０を有する。
【００１２】
ペーパートレー１１には、フィーディングを待つ紙３０を入れる。
複数のフィーディングを待つ紙３０は、上下に重ねて、ペーパートレー１１上に入れられる。
プロセッサー１２内部には、第一臨界値を保存する。
第一発射パーツ１３は、ペーパートレー１１の片側に設置され、プロセッサー１２と電気的に連接する。
プロセッサー１２は、第一発射パーツ１３のスイッチをコントロールし、第一発射パーツ１３がオンの時、超音波信号を水平に通過する紙３０の上表面に発射する。
第一受け取りパーツ１４は、ペーパートレー１１の反対側に設置され、第一発射パーツ１３が発した超音波信号を受け取る。
第一モジュラスコンバーター１５と第一受け取りパーツ１４は、プロセッサー１２とそれぞれ電気的に連接し、第一受け取りパーツ１４が受け取った超音波信号を、デジタル信号に転換後、プロセッサー１２に出力する。
プロセッサー１２は、第一モジュラスコンバーター１５が出力したデジタル信号を読み取り、第一臨界値と比較する。
【００１３】
反射壁１９は、第一発射パーツ１３の外側に設置され、反射壁１９は、第一受け取りパーツ１４の側面に相対し、陥没した弧状を呈する。
第一発射パーツ１３は、反射壁１９に向かって超音波信号を発射し、第一受け取りパーツ１４は、反射壁１９が反射後の超音波信号を受け取る。
反射壁１９の設置により、超音波信号を集中させ、分散しにくくする。
紙３０のフィーディング端を前端と定義し、フィーディング端と相対する一端を紙３０の後端とする。
紙ピックアップローラー２０は、上下移動可能なように、ペーパートレー１１の上方に位置し、しかも紙３０の前端に設置される。
第一発射パーツ１３と第一受け取りパーツ１４は、紙３０の前端に位置し、しかも紙ピックアップローラー２０の、紙３０フィーディング方向と反対側、即ち紙ピックアップローラー２０の後側に位置する。
【００１４】
プロセッサー１２内部には、第二臨界値をさらに保存する。
第二発射パーツ１６は、ペーパートレー１１の前上方に設置され、第二発射パーツ１６は、プロセッサー１２と電気的に連接する。
プロセッサー１２は、第二発射パーツ１６のスイッチをコントロールし、第二発射パーツ１６がオンの時、前下方へと超音波信号を、紙３０上表面に発射する。
第二受け取りパーツ１７は、ペーパートレー１１の前上方に設置され、第二発射パーツ１６が発射し、紙３０が反射した超音波信号を受け取る。
第二モジュラスコンバーター１８と第二受け取りパーツ１７は、電気的に連接し、第二受け取りパーツ１７が受け取った超音波信号をデジタル信号に転換後、出力する。
第二モジュラスコンバーター１８はさらに、プロセッサー１２と電気的に連接する。
プロセッサー１２は、第二モジュラスコンバーター１８が出力したデジタル信号を読み取り、第二臨界値と比較する。
【００１５】
図１、図２、図４、図５に示す通り、本発明による紙ワーピング探知装置の紙ワーピングの探知方法は、以下のステップを含む。
Ｓ１：第一発射パーツ１３を使用し、超音波信号を水平に通過する紙３０前端の上表面に発射する。
Ｓ２：第一受け取りパーツ１４を使用し、第一発射パーツ１３が発した超音波信号を受け取り、超音波信号を出力する。
Ｓ３：第一モジュラスコンバーター１５を使用し、第一受け取りパーツ１４が受け取った超音波信号を、デジタル信号に転換して出力する。
Ｓ４：プロセッサー１２を使用し、第一臨界値を保存する。
プロセッサー１２は、第一モジュラスコンバーター１５が出力したデジタル信号を読み取り、第一臨界値と比較する。
第一モジュラスコンバーター１５が出力したデジタル信号が第一臨界値より小さい時には、紙３０のフィーディング時にワーピングが発生していると判断し、反対なら、紙３０がフィーディング時に正常に進紙していると判断する。
【００１６】
図１、図２、図３、図５に示す通り、本発明による紙ワーピング探知装置の紙ワーピングの探知方法は、さらに以下のステップを含む。
Ｓ２１：第二発射パーツ１６を使用し、前下方へと、超音波信号を紙３０上表面に発射する。
Ｓ２２：第二受け取りパーツ１７を使用し、第二発射パーツ１６が発し、紙３０が反射した超音波信号を受け取り、超音波信号を出力する。
Ｓ２３：第二モジュラスコンバーター１８を使用し、第二受け取りパーツ１７が受け取った超音波信号をデジタル信号に転換し出力する。
Ｓ２４：プロセッサー１２を使用し、第二臨界値をさらに保存する。
プロセッサー１２は、第二モジュラスコンバーター１８が出力したデジタル信号を読み取り、第二臨界値と比較する。
第二モジュラスコンバーター１８が出力したデジタル信号が第二臨界値より大きい時には、紙３０のフィーディング時にワーピングが発生していると判断し、進紙を停止し、反対なら、紙３０がフィーディング時に正常に進紙していると判断する。
【００１７】
図１〜図５に示す通り、本発明による紙ワーピング探知装置及びその探知方法の作動原理は、以下の通りである。
紙をピックアップする時、紙ピックアップローラー２０は下方へと移動し、ペーパートレー１１上の最上面に設置される紙３０の上表面を押さえる。
紙ピックアップローラー２０が紙をピックアップし、最上面の紙３０を連動して正常に前方へとフィーディングすると、第一受け取りパーツ１４は、強くて安定した超音波信号を受け取る。
複数のフィーディングを待つ紙３０の前端は、ホチキス４０でひとまとめにされ、紙ピックアップローラー２０が回転し、最上面の紙３０を連動して正常に前方へとフィーディングすると、最上面の紙３０の前端には湾曲変形が発生する。
紙３０の湾曲部分は、第一受け取りパーツ１４の、第一発射パーツ１３が発射する超音波信号の受け取りを阻害する。
こうして、第一受け取りパーツ１４は、比較的弱い超音波信号を受け取る。
第一受け取りパーツ１４が受け取った超音波信号の強度が第一臨界値より小さければ、紙３０のフィーディング時にワーピングが発生していると判断し、進紙を停止し、こうして紙３０の、フィーディング時の損壊を効果的に防止できる。
【００１８】
複数のフィーディングを待つ紙３０の後端は、ホチキス４０にひとまとめにされ、紙ピックアップローラー２０が紙をピックアップし、最上面の紙３０を連動して前方へとフィーディングする時、最上面の紙３０は、ホチキスでひとまとめにされている紙３０の後端を連動し、いっしょに丸まってしまう。
紙３０の後端が、一定程度まで上方へと丸まると、紙３０の前端はワーピングする。
こうして、第一受け取りパーツ１４の、第一発射パーツ１３が発射する超音波信号の受け取りを阻害する。
紙ワーピングの探知方法のステップＳ１〜Ｓ４を通して、紙３０がどのような状況下でワーピングが発生したかを探知できる。
第一発射パーツ１３と第一受け取りパーツ１４は、この種の状況に対して、速度を遅くすべきである（紙３０の後端だけが一定程度まで湾曲すると、紙３０の前端は湾曲変形し、これにより第一受け取りパーツ１４の、第一発射パーツ１３が発射する超音波信号の受け取りを阻害し、こうして紙３０がフィーディング時にワーピングが発生していると探知できる）。
この時、紙３０にはすでに破損が発生している。
よって、この種の状況下では、紙ワーピングの探知方法のステップＳ２１〜Ｓ２４に対応し、この種の状況に対してより良い探知ができ、さらに有効に紙３０のフィーディング時の破損発生を防止できる。
【００１９】
紙ワーピングの探知方法のステップＳ２１〜２４の作動原理は、以下の通りである。
正常な進紙時には、第二受け取りパーツ１７は超音波信号を受け取れないか、或いは比較的弱い超音波信号しか受け取れない（第二発射パーツ１６と第二受け取りパーツ１７はともに、ペーパートレー１１の前上方に設置され、即ち同側に位置する）。
複数のフィーディングを待つ紙３０の後端は、ホチキス４０にひとまとめにされ、紙ピックアップローラー２０が紙をピックアップし、最上面の紙３０を連動して前方へとフィーディングする時、最上面の紙３０は、ホチキスでひとまとめにされている紙３０の後端を連動し、いっしょに丸まってしまい、紙３０が丸まり、これにより第二発射パーツ１６が発する超音波信号は反射される。
こうして、第二受け取りパーツ１７は比較的強い超音波信号を受け取ることができる。
第二受け取りパーツ１７が受け取った超音波信号の強度が第二臨界値より大きければ、紙３０のフィーディング時にワーピングが発生していると判断し、進紙を停止し、こうして紙３０のフィーディング時の損壊を効果的に防止できる。
【００２０】
上記したように、本発明による紙ワーピング探知装置及びその探知方法は、紙３０の進紙時にワーピングが発生していないかどうかを効果的に探知でき、こうして紙３０の進紙時に発生する破損を防止できる。
【符号の説明】
【００２１】
１１  ペーパートレー
１２  プロセッサー
１３  第一発射パーツ
１４  第一受け取りパーツ
１５  第一モジュラスコンバーター
１６  第二発射パーツ
１７  第二受け取りパーツ
１８  第二モジュラスコンバーター
１９  反射壁
２０  紙ピックアップローラー
３０  紙
４０  ホチキス
１００  事務装置
【図１】
2019077507.tif 000003
【図２】
2019077507.tif 000004
【図３】
2019077507.tif 000005
【図４】
2019077507.tif 000006
【図５】
2019077507.tif 000007